(57)【要約】【課題】動画圧縮回路の構成を用いて静止画記録時にもこれを無駄無く使用することができる画像圧縮装置、画像圧縮方法およびデジタルスチルカメラを提供する。【解決手段】画像圧縮装置は、入力画像信号を周波数領域に変換するｄｃｔ変換部１と、変換されたデータ（または輝度信号データ）を量子化する量子化器２と、変換されたデータのうち低域データのみを通過させるＬＰＦ３と、ＬＰＦ３により通過された低域データと色差信号を選択的に切り替えるセレクタ４と、色差信号を周波数領域に変換、または低域データを時間領域に逆変換するｉｄｃｔ／ｄｃｔ変換部５と、低域データの画素成分から間引き量に対応した位置のデータを取り出して縮小画像を出力するサンプラ７と、色差信号が周波数領域に変換されたデータを量子化して（輝度信号データと共に）静止画データの高速圧縮を行う量子化器８とを備える。【選択図】  図１
2004165744.tif 000002
【特許請求の範囲】
【請求項１】
動画像データの圧縮または静止画データの圧縮を選択的に行う画像圧縮装置において、
入力された時間領域の画像信号を周波数領域に変換する第１の変換手段と、
上記第１の変換手段により変換されたデータを量子化する第１の量子化手段と、
上記第１の量子化手段により量子化されたデータを逆量子化する逆量子化手段と、
上記変換手段により変換されたデータのうち低域データのみを通過させる低域通過手段と、
入力された画像信号のうち輝度信号または色差信号のみを取り出す分離手段と、
上記逆量子化手段により逆量子化されたデータと、上記低域通過手段により通過された低域データと、上記分離手段により分離された色差信号のうち１つを選択的に切り替える選択手段と、
上記選択手段により選択された信号またはデータに対して、時間領域の上記色差信号を周波数領域に変換する第２の変換、または周波数領域の上記逆量子化されたデータおよび上記低域データを時間領域に逆変換する第２の変換／逆変換手段と、
上記第１の量子化手段で上記画像信号が周波数領域に変換されたデータを量子化して静止画データの圧縮を行うと共に、上記第２の変換／逆変換手段により上記低域データが時間領域に逆変換された信号の画素成分から間引き量に対応した位置のデータを取り出して縮小画像を出力するサンプル手段と、
上記変換／逆変換手段により上記色差信号が周波数領域に変換されたデータを量子化すると共に、上記第１の量子化手段で上記輝度信号が周波数領域に変換されたデータを量子化して静止画データの高速圧縮を行う第２の量子化手段と
を備え、動画像データの圧縮、静止画データの圧縮および縮小画像、または静止画データの高速圧縮を行うことを特徴とする画像圧縮装置。
【請求項２】
請求項１記載の画像圧縮装置において、
上記選択手段および上記変換／逆変換手段に対して、動画像データの圧縮モード、静止画データの圧縮および縮小画像モード、または静止画データの高速圧縮モードに応じて切替信号を出力するモード切替手段を備えたことを特徴とする画像圧縮装置。
【請求項３】
請求項２記載の画像圧縮装置において、
上記静止画データの圧縮および縮小画像モード、または上記静止画データの高速圧縮モードの各モード時に、上記動画像データの圧縮モードのみに使用する不使用部分を省電力モードにすることを特徴とする画像圧縮装置。
【請求項４】
動画像データの圧縮または静止画データの圧縮を選択的に行う画像圧縮方法において、
動画データの圧縮モードでは、
入力された時間領域の画像信号を周波数領域に変換する第１の変換ステップと、上記第１の変換ステップにより変換されたデータを量子化する第１の量子化ステップと、上記量子化ステップにより量子化されたデータを逆量子化する逆量子化ステップとにより、逆量子化されたデータを上記第１の変換ステップに戻すことにより動画データの圧縮を行い、
静止画データの圧縮および縮小画像モードでは、
入力された時間領域の画像信号を周波数領域に変換する第１の変換ステップと、上記第１の変換ステップにより変換されたデータを量子化する第１の量子化ステップとにより静止画データの圧縮を行うと共に、
上記第１の変換ステップにより変換されたデータのうち低域データのみを通過させる低域通過ステップと、周波数領域の上記低域データを時間領域に逆変換する逆変換ステップと、上記逆変換ステップにより上記低域データが時間領域に逆変換された信号の画素成分から上記低域データの間引き量に対応した位置のデータを取り出して縮小画像を出力するサンプルステップとにより縮小画像の出力を行い、
高速圧縮モードでは、
入力された画像信号のうち輝度信号または色差信号のみを取り出す分離ステップと、時間領域の上記色差信号を周波数領域に変換する第２の変換ステップと、上記第２の変換ステップにより上記色差信号が周波数領域に変換されたデータを量子化すると共に、上記第１の量子化ステップで上記輝度信号が周波数領域に変換されたデータを量子化して静止画データの高速圧縮を行う第２の量子化ステップと
を備え、動画像データの圧縮、静止画データの圧縮および縮小画像、または静止画データの高速圧縮を行うことを特徴とする画像圧縮方法。
【請求項５】
請求項４記載の画像圧縮方法において、
上記逆量子化ステップの出力、上記低域データ、上記色差信号に対して、動画像データの圧縮モード、静止画データの圧縮および縮小画像モード、または静止画データの高速圧縮モードに応じて出力の切替を行うと共に、
上記逆量子ステップの出力、上記低域データ、上記色差信号に対して、動画像データの圧縮モード、静止画データの圧縮および縮小画像モード、または静止画データの高速圧縮モードに応じて、周波数領域の上記逆量子化データ、周波数領域の上記低域データを時間領域に逆変換する逆変換ステップと、時間領域の上記色差信号を周波数領域に変換する第２の変換ステップとの切替を行うことを特徴とする画像圧縮方法。
【請求項６】
撮像手段により撮像された動画像データの圧縮または静止画データの圧縮を選択的に行って圧縮された動画像データまたは静止画データの記録を行うデジタルスチルカメラにおいて、
入力された時間領域の画像信号を周波数領域に変換する第１の変換手段と、
上記第１の変換手段により変換されたデータを量子化する第１の量子化手段と、
上記第１の量子化手段により量子化されたデータを逆量子化する逆量子化手段と、
上記変換手段により変換されたデータのうち低域データのみを通過させる低域通過手段と、
入力された画像信号のうち輝度信号または色差信号のみを取り出す分離手段と、
上記逆量子化手段により逆量子化されたデータと、上記低域通過手段により通過された低域データと、上記分離手段により分離された色差信号のうち１つを選択的に切り替える選択手段と、
上記選択手段により選択された信号またはデータに対して、時間領域の上記色差信号を周波数領域に変換する第２の変換、または周波数領域の上記逆量子化されたデータおよび上記低域データを時間領域に逆変換する第２の変換／逆変換手段と、
上記第１の量子化手段で上記画像信号が周波数領域に変換されたデータを量子化して静止画データの圧縮を行うと共に、上記第２の変換／逆変換手段により上記低域データが時間領域に逆変換された信号の画素成分から間引き量に対応した位置のデータを取り出して縮小画像を出力するサンプル手段と、
上記変換／逆変換手段により上記色差信号が周波数領域に変換されたデータを量子化すると共に、上記第１の量子化手段で上記輝度信号が周波数領域に変換されたデータを量子化して静止画データの高速圧縮を行う第２の量子化手段と
を備え、動画像データの圧縮、静止画データの圧縮および縮小画像、または静止画データの高速圧縮を行うことを特徴とするデジタルスチルカメラ。
【発明の詳細な説明】
【０００１】
【発明の属する技術分野】
本発明は、例えば、動画像データの圧縮または静止画データの圧縮を選択的に行う画像圧縮装置、画像圧縮方法およびデジタルスチルカメラに関するものである。
【０００２】
【従来の技術】
図７に従来のデジタルスチルカメラシステムの構成を示すブロック図を示す。
このデジタルスチルカメラシステムの構成要素の主要部についての説明を以下に述べる。
【０００３】
図７において、デジタルスチルカメラＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）部７３は、デジタルスチルカメラ用に作成された専用集積回路であり、ＡＳＩＣ内部バス７４で各部と接続されている。カメラ信号処理部７５は、ＣＣＤ（Ｃｈａｒｇｅ  Ｃｏｕｐｌｅｄ  Ｄｅｖｉｃｅ）７２の撮像出力を４：２：２の輝度（Ｙ）／色差信号（Ｃｒ、Ｃｂ）に変換する機能を有する。ビデオエンコーダ８０は、ＪＰＥＧ（Ｊｏｉｎｔ  Ｐｈｏｔｏｇｒａｐｈ  Ｅｘｐｅｒｔｓ  Ｇｒｏｕｐ）エンジン７８の伸張した画像データをビデオ信号としてビデオ出力端子８１に出力する機能を有する。
【０００４】
また、カメラ画キャプチャＳＤＲＡＭ（Ｓｙｎｃｒｏｎｏｕｓ  Ｄｉｎａｍｉｃ  Ｒａｎｄｏｍ  Ａｃｃｅｓｓ  Ｍｅｍｏｒｙ）７６は、ＣＣＤ７２で撮像されたキャプチャ画像または再生時の伸長画像を一時的に保持する機能を有する。解像度変換器７７は、圧縮時の原画像データのリサイズや親指大に縮小したサムネイル用画像の生成ための縮小処理を行うと共に、再生時のビデオ出力端子８１に出力するビデオ出力サイズへの画像データの縮小拡大を行う機能を有する。
【０００５】
ＪＰＥＧエンジン７８は、画像データのＪＰＥＧフォーマットへの圧縮処理によりＪＰＥＧストリーム８６の生成、および圧縮されたＪＰＥＧストリーム８６の画像データの伸張処理を行なって原画像データの生成を行う機能を有する。ＪＰＥＧエンジン７８は、ホストマイコンバス８８を介してＣＰＵバス８３と接続され、ＪＰＥＧストリーム８６または原画像データを示すＪＰＥＧ圧縮／伸長符号を転送すると共に、圧縮率を示すＱ値設定用データを転送する。
【０００６】
終了通知信号生成回路７９は、ＪＰＥＧエンジン７８からの圧縮処理および伸張処理の終了通知信号を生成してＣＰＵ８２に通知する機能を有する。
【０００７】
ＳＤＲＡＭ８５は、ＪＰＥＧエンジン７８からホストマイコンバス８８およびＣＰＵバス８３を介してＪＰＥＧストリーム８６を一時的に保持すると共に、ＣＰＵバス８３を介してストレージデバイス８７との間でお互いにＪＰＥＧストリーム８６の書き込み読み出しを行う機能を有する。ストレージデバイス８７は、デジタルスチルカメラ本体に対して着脱可能な板状メモリ等の撮影した圧縮画像データを記録する機能を有する。ＣＰＵ８２は、デジタルスチルカメラＡＳＩＣ７３の動作の制御やストレージデバイス８７へのＪＰＥＧストリーム８６の書き込み、読み出しの制御及び実行を行う機能を有する。命令ＲＯＭ８４は、ＣＰＵ８２のプログラムを格納する機能を有する。
【０００８】
図７に示したデジタルスチルカメラシステムでは、ＪＰＥＧエンジン７８のように、従来から静止画の圧縮／伸張部については、メインの信号処理を行うＡＳＩＣ７３内に組み込まれていたが、動画の圧縮／伸張部についてはデジタルスチルカメラシステムの中の処理としても副次的な位置にあった。
【０００９】
このため、動画の圧縮／伸張部については、静止画の圧縮／伸張部により生成された静止画をひとつにまとめたＭｏｔｉｏｎＪＰＥＧ形式や、イントラ画像のみを静止画の圧縮／伸張部で生成してＣＰＵ側でＭＰＥＧ（Ｍｏｖｉｎｇ  Ｐｈｏｔｏｇｒａｐｈ  Ｅｘｐｅｒｔｓ  Ｇｒｏｕｐ）１のフォーマットにまとめたもの等がよく使われていた。後者の場合、ＭＰＥＧ１／２のイントラ画像符号化はハフマン符号部等に若干の変更をすればＪＰＥＧの圧縮とほとんど同様にできるためＣＰＵの設定でこれらを切り替えて使用することが可能である。
【００１０】
図８に従来のＭＰＥＧの動画圧縮回路の構成を示すブロック図を示す。
図８において、ｄｃｔ（ｄｉｓｃｒｅｔｅ  ｃｏｓｉｎｅ  ｔｒａｎｓｆｏｒｍ）変換部８１は、画像信号入力としての輝度（Ｙ）／色差信号（Ｃｒ、Ｃｂ）の画素をまとめた時間領域の画像ブロックに対して周波数領域のｄｃｔ変換係数に変換する機能を有する。量子化器８２は、ｄｃｔ変換係数データの量子化を行う機能を有する。逆量子化器８３は、量子化データの逆量子化を行う機能を有する。ｉｄｃｔ変換部８４は、周波数領域の逆量子化データを時間領域の画像データに逆変換する。
【００１１】
動き予測部８７は、ＧＯＰ（Ｇｒｏｕｐ  Ｏｆ  Ｐｉｃｔｕｒｅ）の各ピクチャの蓄積から、レファレンス画像の選択を行って動き予測を行う機能を有する。加算器８５は、逆変換された画像データに動き予測データを累積加算する機能を有する。減算器８９は、画像信号入力と動き予測画像データの誤差を出力する機能を有する。ＭＰＥＧ用ハフマン符号器８６は、量子化データのＭＰＥＧ用ハフマン方式により可変長符号化を行う機能を有する。これにより、ヘッダー等を付加したＭＰＥＧストリーム８８が出力される。
【００１２】
このＭＰＥＧの動画圧縮回路を上述した図７の点線で囲んだＪＰＥＧエンジン部７８と置き換えることでＭＰＥＧのストリームを取り扱える様になる。
【００１３】
また、例えば、ＭＰＥＧストリームとＪＰＥＧストリームの符号化・復号化を同時に実現する場合、処理が重なる部分はできるだけ共通の回路を使用するようにした先行技術があった（特許文献１）。
【００１４】
【特許文献１】
特開２０００−５０２６３号公報
【００１５】
【発明が解決しようとする課題】
上述した従来のデジタルスチルカメラでは、静止画圧縮の処理を行うＪＰＥＧ（Ｊｏｉｎｔ  Ｐｈｏｔｏｇｒａｐｈ  Ｅｘｐｅｒｔｓ  Ｇｒｏｕｐ）処理回路についてはデジタルスチルカメラシステムのＡＳＩＣ上にはじめから搭載されていたが、動画圧縮についてはそのままＪＰＥＧエンジンを流用出来る圧縮フォーマットを採用していた。つまりこの圧縮フォーマットは、ＭｏｔｉｏｎＪＰＥＧやイントラ画像（フレーム内部で圧縮が完結。）のみのＭＰＥＧ１である。しかし、これらは、静止画圧縮のためのリソースを使って動画圧縮のためにまとめたものであったため、ファイルサイズの割には、画像サイズも小さく、フレーム転送レートも比較的高いとはいえないものであったという不都合があった。
【００１６】
また、さらに、最近のデジタルスチルカメラの高性能化に伴い動画機能についてもより本格的なものが要求され出している。このため本格的な（大規模な）ＭＰＥＧ１／２圧縮伸張回路をデジタルスチルカメラのシステムＡＳＩＣ上に搭載する必要性が生じるが、動画圧縮回路の構成を用いて静止画記録時にもこれを無駄無く使用するという要求を満たすデジタルスチルカメラは存在しないという不都合があった。
【００１７】
特許文献１は、ＭＰＥＧストリームとＪＰＥＧストリームの符号化・復号化において、量子化テーブルを共有化する点が開示されているが、本願発明の課題とする動画圧縮回路の構成を用いて静止画記録時にもこれを無駄無く使用する点についてはなんら開示されていない。
【００１８】
そこで、本発明は、かかる点に鑑みてなされたものであり、静止画圧縮／伸張部、動画圧縮／伸張部の両者を搭載することなく動画圧縮回路の構成を用いて静止画記録時にもこれを無駄無く使用することができる画像圧縮装置、画像圧縮方法およびデジタルスチルカメラを提供することを課題とする。
【００１９】
【課題を解決するための手段】
本発明の画像圧縮装置は、入力された時間領域の画像信号を周波数領域に変換する第１の変換手段と、第１の変換手段により変換されたデータを量子化する第１の量子化手段と、第１の量子化手段により量子化されたデータを逆量子化する逆量子化手段と、変換手段により変換されたデータのうち低域データのみを通過させる低域通過手段と、入力された画像信号のうち輝度信号または色差信号のみを取り出す分離手段と、逆量子化手段により逆量子化されたデータと、低域通過手段により通過された低域データと、分離手段により分離された色差信号のうち１つを選択的に切り替える選択手段と、選択手段により選択された信号またはデータに対して、時間領域の色差信号を周波数領域に変換する第２の変換、または周波数領域の逆量子化されたデータおよび低域データを時間領域に逆変換する第２の変換／逆変換手段と、第１の量子化手段で画像信号が周波数領域に変換されたデータを量子化して静止画データの圧縮を行うと共に、第２の変換／逆変換手段により低域データが時間領域に逆変換された信号の画素成分から間引き量に対応した位置のデータを取り出して縮小画像を出力するサンプル手段と、変換／逆変換手段により上記色差信号が周波数領域に変換されたデータを量子化すると共に、第１の量子化手段で上記輝度信号が周波数領域に変換されたデータを量子化して静止画データの高速圧縮を行う第２の量子化手段とを備え、動画像データの圧縮、静止画データの圧縮および縮小画像、または静止画データの高速圧縮を行うものである。
【００２０】
従って本発明によれば、以下の作用をする。
静止画圧縮／伸張部、動画圧縮／伸張部の両者を搭載することなく動画圧縮回路の構成を用いて静止画記録時にもこれを無駄無く使用して兼用出来、さらに、動画像圧縮モードに対して、静止画圧縮および縮小画像取得モードまたは静止画高速圧縮モードの２モードの機能が付加される。
【００２１】
また、本発明の画像圧縮方法は、動画データの圧縮モードでは、入力された時間領域の画像信号を周波数領域に変換する第１の変換ステップと、第１の変換ステップにより変換されたデータを量子化する第１の量子化ステップと、量子化ステップにより量子化されたデータを逆量子化する逆量子化ステップとにより、逆量子化されたデータを第１の変換ステップに戻すことにより動画データの圧縮を行い、静止画データの圧縮および縮小画像モードでは、入力された時間領域の画像信号を周波数領域に変換する第１の変換ステップと、第１の変換ステップにより変換されたデータを量子化する第１の量子化ステップとにより静止画データの圧縮を行うと共に、第１の変換ステップにより変換されたデータのうち低域データのみを通過させる低域通過ステップと、周波数領域の低域データを時間領域に逆変換する逆変換ステップと、逆変換ステップにより低域データが時間領域に逆変換された信号の画素成分から低域データの間引き量に対応した位置のデータを取り出して縮小画像を出力するサンプルステップとにより縮小画像の出力を行い、高速圧縮モードでは、入力された画像信号のうち輝度信号または色差信号のみを取り出す分離ステップと、時間領域の色差信号を周波数領域に変換する第２の変換ステップと、第２の変換ステップにより色差信号が周波数領域に変換されたデータを量子化すると共に、第１の量子化ステップで輝度信号が周波数領域に変換されたデータを量子化して静止画データの高速圧縮を行う第２の量子化ステップとを備え、動画像データの圧縮、静止画データの圧縮および縮小画像、または静止画データの高速圧縮を行うものである。
【００２２】
従って本発明によれば、以下の作用をする。
静止画圧縮および縮小画像取得モードによれば、静止画圧縮と並行して縮小画像の取得が出来、縮小画像は親指大のサムネイル等の原画に使用出来、静止画高速圧縮モードによれば、変換部を１基だけでなく、動画データの圧縮時に変換部として使用するものをパラメータの変更により２基目の変換部として使用することにより、上述した２つの経路を併行して使用することができるので、高速に静止画の圧縮ができる。
【００２３】
また、本発明のデジタルスチルカメラは、入力された時間領域の画像信号を周波数領域に変換する第１の変換手段と、第１の変換手段により変換されたデータを量子化する第１の量子化手段と、第１の量子化手段により量子化されたデータを逆量子化する逆量子化手段と、変換手段により変換されたデータのうち低域データのみを通過させる低域通過手段と、入力された画像信号のうち輝度信号または色差信号のみを取り出す分離手段と、逆量子化手段により逆量子化されたデータと、低域通過手段により通過された低域データと、分離手段により分離された色差信号のうち１つを選択的に切り替える選択手段と、選択手段により選択された信号またはデータに対して、時間領域の色差信号を周波数領域に変換する第２の変換、または周波数領域の逆量子化されたデータおよび低域データを時間領域に逆変換する第２の変換／逆変換手段と、第１の量子化手段で画像信号が周波数領域に変換されたデータを量子化して静止画データの圧縮を行うと共に、第２の変換／逆変換手段により低域データが時間領域に逆変換された信号の画素成分から間引き量に対応した位置のデータを取り出して縮小画像を出力するサンプル手段と、変換／逆変換手段により色差信号が周波数領域に変換されたデータを量子化すると共に、第１の量子化手段で輝度信号が周波数領域に変換されたデータを量子化して静止画データの高速圧縮を行う第２の量子化手段とを備え、動画像データの圧縮、静止画データの圧縮および縮小画像、または静止画データの高速圧縮を行うものである。
【００２４】
従って本発明によれば、以下の作用をする。
静止画圧縮／伸張部、動画圧縮／伸張部の両者を搭載することなく動画圧縮回路の構成を用いて静止画記録時にもこれを無駄無く使用して兼用出来、さらに、動画像圧縮モードに対して、静止画圧縮および縮小画像取得モードまたは静止画圧縮高速圧縮モードの２モードの機能も付加したデジタルスチルカメラが得られる。
【００２５】
【発明の実施の形態】
以下に、本発明の実施の形態について適宜図面を参照しながら説明する。
本実施の形態は、図７に示した従来のデジタルスチルカメラシステムに適用されるものである。
【００２６】
図１は、本実施の形態に適用される動画圧縮回路での静止画（ＪＰＥＧ）圧縮の様子を示す図である。
図１において示した動画圧縮回路での静止画（ＪＰＥＧ）圧縮回路は、図８に示した従来のＭＰＥＧの動画圧縮回路のままでは静止画の圧縮／伸張ができないので、図８に示した従来のＭＰＥＧの動画圧縮回路に対して、本実施の形態特有の機能の付加を行ったものである。
【００２７】
具体的には、図１において示した動画圧縮回路での静止画（ＪＰＥＧ）圧縮回路は、ｄｃｔ変換部１により変換されたデータのうち低域データのみを通過させるＬＰＦ３と、入力された画像信号のうち輝度信号Ｙまたは色差信号Ｃｒ、ｃｂのみを取り出す分離手段とを付加して構成される。
【００２８】
ＬＰＦ３は、図５に示すように、低域データ（ｎ×ｎ）５３のサンプリング及び高域データの０値５２を設定するブロックであり、後段のｉｄｃｔ変換部５での解像度変換のために低域のデータのみ（ＤＣ値あるいは、低域のｎ×ｎ成分（ｎ＝１〜７））をｉｄｃｔ変換部５へ転送する。そして、８×８ＤＣＴ係数データ５１の残りの高域部分は０値５２を設定する。このＬＰＦ３、以下の乗算器８、サンプラ７の３ブロックは共同して解像度変換（ｎ／８）を実行する。
【００２９】
また、図１において示した動画圧縮回路での静止画（ＪＰＥＧ）圧縮回路は、逆量子化器１２により逆量子化されたデータと、ＬＰＦ３により通過された低域データと、分離手段により分離された色差信号Ｃｒ、Ｃｂのうち１つを選択的に切り替えるセレクタ４を付加して構成される。セレクタ４は、ｉｄｃｔ／ｄｃｔ変換部５への入力選択を行う。
【００３０】
また、図１において示した動画圧縮回路での静止画（ＪＰＥＧ）圧縮回路は、セレクタ４により選択された信号またはデータに対して、時間領域の色差信号Ｃｒ、Ｃｂを周波数領域に変換し、または周波数領域の逆量子化されたデータおよび低域データを時間領域に逆変換するｉｄｃｔ／ｄｃｔ変換部５を付加して構成される。ｉｄｃｔ／ｄｃｔ変換部５は、動画（ＭＰＥＧ）圧縮回路ではｉｄｃｔのみの機能であったが、パラメータの設定変更によりｄｃｔ機能も追加しておく。但し、高速静止画（ＪＰＥＧ）圧縮を行う必要が無ければこの部分はｉｄｃｔのみのままでよい。
【００３１】
また、図１において示した動画圧縮回路での静止画（ＪＰＥＧ）圧縮回路は、量子化器２で量子化された画像入力信号の量子化データを静止画（ＪＰＥＧ）用ハフマン符号化して静止画（ＪＰＥＧ）圧縮符号出力データ１６の出力を行う静止画（ＪＰＥＧ）用ハフマン符号化器９を付加して構成される。
【００３２】
また、図１において示した動画圧縮回路での静止画（ＪＰＥＧ）圧縮回路は、ｉｄｃｔ５により低域データが時間領域に逆変換された信号の画素成分から間引き量に対応した位置のデータを取り出してｎ／８縮小画像データ１７を出力するサンプラ７を付加して構成される。
【００３３】
また、乗算器６は、ゲイン合わせのためにｎ／８倍のゲイン補正を行う。
サンプラ７は、図６に示すように、８×８画素６１の成分から間引き量ｎ／８の間引きデータ６２を間引いた残りデータに対応した位置のデータを取り出して、ｎ／８縮小画像データ６３を出力する。サンプラ７は、ｄｃｔ変換部５に元々存在するシーケンスカウンタの値をデコードすることにより構成される。
【００３４】
また、図１において示した動画圧縮回路での静止画（ＪＰＥＧ）圧縮回路は、ｄｃｔ変換部５により色差信号Ｃｒ、ｃｂが周波数領域に変換されたデータを量子化する量子化器８を付加して構成される。量子化器８は、静止画（ＪＰＥＧ）圧縮で通常使われる量子化器であり、割り算器で構成される。
【００３５】
また、図１において示した動画圧縮回路での静止画（ＪＰＥＧ）圧縮回路は、量子化器２で量子化された輝度信号Ｙの量子化データおよび量子化器８で量子化された色差信号Ｃｒ、ｃｂの量子化データを静止画（ＪＰＥＧ）用ハフマン符号化して高速に静止画（ＪＰＥＧ）圧縮符号出力データ１６の出力を行う静止画（ＪＰＥＧ）用ハフマン符号器９を付加して構成される。静止画（ＪＰＥＧ）用ハフマン符号器９は、ＪＰＥＧの仕様に適合したＶＬＣ（可変長符号器）で構成される。この場合、符号テーブルの部分がＭＰＥＧとＪＰＥＧで異なるためＲＯＭ（Ｒｅａｄ  Ｏｎｌｙ  Ｍｅｍｏｒｙ）で双方を持っておき、使い分けるように構成される。あるいは、ＲＡＭ（Ｒａｎｄｏｍ  Ａｃｃｅｓｓ  Ｍｅｍｏｒｙ）にしておき図７のＣＰＵ８２から対応する表をロードする形式にしておけば、共用も可能である。
【００３６】
また、図１において示した動画圧縮回路での静止画（ＪＰＥＧ）圧縮回路は、セレクタ４およびｄｃｔ／ｉｄｃｔ５に対して、動画像データの圧縮モード、静止画データの圧縮および縮小画像モード、または静止画データの高速圧縮モードに応じて切替信号を出力するモード切替部１０を付加して構成される。
【００３７】
これにより、ＭＰＥＧ１／２（以下ＭＰＥＧと表記）エンジンが静止画エンジン７８として兼用出来るだけではなく、動画像（ＭＰＥＧ）圧縮モードに対して、静止画（ＪＰＥＧ）圧縮＋ｎ／８画像取得モードおよび静止画（ＪＰＥＧ）圧縮高速圧縮モードの２モードの機能も付加することができる。
【００３８】
２つのモードはそれぞれ排他的であり状況に応じて（図７のＣＰＵ８２からの設定で）使い分けるようにする。
【００３９】
この際、どちらかのモードだけしか使わないブロックがあれば使用しないブロックは各モード時に削除することができる。
【００４０】
なお、図１において示した動画圧縮回路での静止画（ＪＰＥＧ）圧縮回路において、図８に示した従来のＭＰＥＧの動画圧縮回路に対応する部分の説明を省略する。このとき、ｄｃｔ１は、ｄｃｔ８１に対応し、量子化器２は、量子化器８２に対応し、逆量子化器１２は、逆量子化器８３に対応し、ＭＰＥＧ用ハフマン符号器１３は、ＭＰＥＧ用ハフマン符号器８６に対応し、動き予測部１５は、動き予測部６７に対応し、加算器１４は、加算器８５に対応し、減算器１１は、減算器８９に対応する。
【００４１】
図２は、モード切替部によるセレクタとｉｄｃｔ／ｄｃｔの切替を示す図である。
図２において、モード切替部２１が動画像（ＭＰＥＧ）圧縮モード２４のときは、セレクタ２２の稼動接点ａは、逆量子化器１２側の端子ｂに接続され、ｉｄｃｔ／ｄｃｔ２３はｉｄｃｔに切り替えられる。
【００４２】
また、モード切替部２１が静止画（ＪＰＥＧ）圧縮＋ｎ／８画像取得モード２５のときは、セレクタ２２の稼動接点ａは、ＬＰＦ３側の端子ｃに接続され、ｉｄｃｔ／ｄｃｔ２３はｉｄｃｔに切り替えられる。
【００４３】
また、モード切替部２１が静止画（ＪＰＥＧ）圧縮高速圧縮モード２６のときは、セレクタ２２の稼動接点ａは、色差信号Ｃｒ、ｃｂ側の端子ｄに接続され、ｉｄｃｔ／ｄｃｔ２３はｄｃｔに切り替えられる。
【００４４】
次に静止画（ＪＰＥＧ）圧縮＋ｎ／８画像取得モードおよび静止画（ＪＰＥＧ）圧縮高速圧縮モードの各々のモードにおける具体的な動作を示す。
【００４５】
図３は、動画圧縮回路での静止画（ＪＰＥＧ）圧縮＋ｎ／８画像取得モードを示す図である。
静止画データの圧縮および縮小画像モードでは、静止画（ＪＰＥＧ）圧縮経路３１と、ｎ／８画像経路３２の２つの経路により静止画像および縮小画像の生成を行う。
【００４６】
まず、静止画（ＪＰＥＧ）圧縮経路３１において、ｄｃｔ変換部１で入力された時間領域の画像信号を周波数領域に変換し、ｄｃｔ変換部１により変換されたデータを量子化器２で量子化し、静止画（ＪＰＥＧ）用ハフマン符号器９で静止画（ＪＰＥＧ）用ハフマン符号化して静止画データの圧縮を行う。これにより、ｄｃｔ変換部１、量子化器２、静止画（ＪＰＥＧ）用ハフマン符号器１３の静止画（ＪＰＥＧ）圧縮経路３１で静止画（ＪＰＥＧ）圧縮を実行する。
【００４７】
また同時に、ｎ／８画像経路３２において、ｄｃｔ変換部１により変換されたデータのうちＬＰＦ３で低域データ（ｎ×ｎ）のみを通過させ、セレクタ４を介して、周波数領域の低域データ（ｎ×ｎ）をｉｄｃｔ５で時間領域に逆変換し、乗算器６でｎ／８倍にゲイン合わせをした後に、ｉｄｃｔ５により低域データが時間領域に逆変換された信号の画素成分からサンプラ７で低域データ（ｎ×ｎ）の間引き量に対応した位置のデータを取り出してｎ／８縮小画像データ１７を出力することにより縮小画像の出力を行う。
【００４８】
これにより、ｄｃｔ変換部１で周波数領域に変換された画像データは、ＬＰＦ３で低域成分のみをサンプルされて、セレクタ４を通りｉｄｃｔ変換部５で高域成分を落とされた（時間領域の）Ｙ，Ｃｂ，Ｃｒに戻る。ゲイン合わせの乗算器６を通った後サンプラ７でｎ／８に該当する間隔でそのデータを取得する。これでｎ／８の画像データが作成される。ここで、縮小率ｎ／８のｎはあらかじめハードウェアで決められていてもよいし、あるいは図７のＣＰＵ８２から１から７の間の値を設定出来る様になっていてもよい。
【００４９】
デジタルスチルカメラでよく用いられるＤＣＦ（Ｄｅｓｉｇｎ  ｒｕｌｅ  ｆｏｒ  Ｃａｍｅｒａ  Ｆｉｌｅ  ｓｙｓｔｅｍ）フォーマットでは、サムネイルのサイズは、１６０×１２０画素と決まっている。本実施の形態では、ＪＰＥＧ、ＭＰＥＧのｄｃｔ変換部、ｉｄｃｔ変換部を利用して画像の解像度変換（縮小）を行っているため８×８単位で画像成分を扱う事になる。このため直接圧縮中の画像を１６０×１２０画素にダイレクトに変換できるケースは限られてしまうが、５００万画素以上の大きな画サイズのサムネイルを考えた場合、図７に示した解像度変換器７７に入力する画像が例えば１／８であれば、それだけ処理時間は減る事になる。
【００５０】
ここで、低域データ（ｎ×ｎ）に対して、モード切替部１０からの静止画データの圧縮および縮小画像モードの切替信号に応じてセレクタ４に対する出力の切替を行う。
【００５１】
また、これと共に、低域データ（ｎ×ｎ）に対して、モード切替部１０からの静止画データの圧縮および縮小画像モードの切替信号に応じて、周波数領域の低域データ（ｎ×ｎ）を時間領域に逆変換するｉｄｃｔ５への切替を行う。
【００５２】
上述した静止画（ＪＰＥＧ）圧縮＋ｎ／８画像取得モードによれば、静止画圧縮と並行して縮小画像の取得が出来る。縮小画像は親指大のサムネイル等の原画に使用出来る。例えば、５００万画素以上等のかなり大きな画サイズでは、サムネイルを原画の縮小から行うのでは時間がかかってしまう。例えば圧縮と並行して１／８の画像が出来ていれば、これを所望するサムネイルのサイズにリサイズすることになり処理時間を短縮することができる。
【００５３】
図４は、動画圧縮回路での静止画（ＪＰＥＧ）高速圧縮モードを示す図である。
高速圧縮モードでは、輝度信号（Ｙ）静止画（ＪＰＥＧ）圧縮経路４１と、色差信号（Ｃｒ、Ｃｂ）静止画（ＪＰＥＧ）圧縮経路４２の２つの経路により高速で静止画像の生成を行う。
【００５４】
まず、輝度信号（Ｙ）静止画（ＪＰＥＧ）圧縮経路４１において、図示しない分離手段により入力された画像信号のうち輝度信号（Ｙ）のみを取り出し、時間領域の輝度信号（Ｙ）をｄｃｔ１で周波数領域に変換し、量子化器２でｄｃｔ１により輝度信号（Ｙ）が周波数領域に変換されたデータを量子化し、静止画（ＪＰＥＧ）用ハフマン符号器９で静止画（ＪＰＥＧ）用ハフマン符号化して輝度信号（Ｙ）静止画データの圧縮を行う。
【００５５】
これにより、輝度（Ｙ）信号はｄｃｔ変換部１に入力されて、周波数領域のデータに変換される。ｄｃｔ変換部１の出力はＭＰＥＧと兼用の量子化器２を通りＪＰＥＧ用のハフマン符号器９に入力され符号化される。
【００５６】
これと共に、色差信号（Ｃｒ、Ｃｂ）静止画（ＪＰＥＧ）圧縮経路４において、図示しない分離手段により入力された画像信号のうち色差信号（Ｃｒ、Ｃｂ）のみを取り出し、セレクタ４を介して、時間領域の色差信号（Ｃｒ、Ｃｂ）をｄｃｔ５で周波数領域に変換し、ｄｃｔ５により色差信号（Ｃｒ、Ｃｂ）が周波数領域に変換されたデータを量子化器８で量子化し、静止画（ＪＰＥＧ）用ハフマン符号器９で静止画（ＪＰＥＧ）用ハフマン符号化して色差信号（Ｃｒ、Ｃｂ）静止画データの圧縮を行う。
【００５７】
このとき、色差信号（Ｃｂ，Ｃｒ）は、セレクタ４を通り動画（ＭＰＥＧ）圧縮時にはｉｄｃｔ変換部だったものをｄｃｔ変換部として使用する。この出力は、専用の量子化器８を通り、ＪＰＥＧ用ハフマン符号器９に入力され符号化される。
【００５８】
ここで、色差信号（Ｃｒ、Ｃｂ）に対して、モード切替部１０からの静止画データの高速圧縮モードの切替信号に応じてセレクタ４に対する出力の切替を行う。
【００５９】
また、これと共に、色差信号（Ｃｒ、Ｃｂ）に対して、モード切替部１０からの静止画データの高速圧縮モードの切替信号に応じて、時間領域の色差信号を周波数領域に変換するｄｃｔ５への切替を行う。
【００６０】
上述した静止画（ＪＰＥＧ）圧縮高速圧縮モードによれば、ｄｃｔ変換部を１基だけでなく、動画（ＭＰＥＧ）データの圧縮時にｉｄｃｔ変換部として使用するものをパラメータの変更により２基目のｄｃｔ変換部として使用することにより、上述した２つの経路を併行して使用することができるので、高速に静止画の圧縮を行うことができる。
【００６１】
上述した静止画（ＪＰＥＧ）圧縮高速圧縮モードでは、ｄｃｔ変換部１は輝度（Ｙ）信号専用に、ｄｃｔ変換部５は色差信号（Ｃｂ，Ｃｒ）専用として動作させる。
【００６２】
これにより、ＪＰＥＧフォーマットによる画像信号の４：２：２サンプル（輝度（Ｙ）信号と色差信号（ＣｂＣｒ）とのサンプル比）では、輝度（Ｙ）信号の１６×８画素に対して色差信号（Ｃｂ，Ｃｒ）の各々８×８画素が対応しているので、通常１基のｄｃｔ変換部でＹ→Ｙ→Ｃｂ→Ｃｒの順に直列で行っていた周波数領域への変換が、２基のｄｃｔ変換部を使う事でＹ→Ｙと、Ｃｂ→Ｃｒが並列に実行出来るので圧縮処理を速める事が出来る。
【００６３】
なお、動画データの圧縮モードでは、入力された時間領域の画像信号をｄｃｔ１で周波数領域に変換し、ｄｃｔ１により変換されたデータを量子化器２で量子化し、量子化器２により量子化されたデータを逆量子化器１２で逆量子化し、セレクタ４を介して、周波数領域の逆量子化データをｉｄｃｔ５で時間領域に逆変換し、ＧＯＰ（Ｇｒｏｕｐ  Ｏｆ  Ｐｉｃｔｕｒｅ）の各ピクチャの蓄積から、動き予測部１５でレファレンス画像の選択を行って動き予測を行い、加算器８５で逆変換された画像データに動き予測データを累積加算し、減算器８９で画像信号入力と動き予測画像データの誤差を出力し、ＭＰＥＧ用ハフマン符号器１３で量子化データのＭＰＥＧ用ハフマン方式により可変長符号化を行う。これにより、ヘッダー等を付加したＭＰＥＧストリームが出力される。
【００６４】
ここで、逆量子器１２の出力に対して、モード切替部１０からの動画像データの圧縮モードの切替信号に応じてセレクタ４に対する出力の切替を行う。
【００６５】
また、これと共に、逆量子器１２の出力に対して、モード切替部１０からの動画像データの圧縮モードの切替信号に応じて、周波数領域の逆量子化データを時間領域に逆変換するｉｄｃｔ５への切替を行う。
【００６６】
なお、上述した図３および図４において、各々のモードで削除できるブロックは破線で示している。さらに図３および図４の静止画（ＪＰＥＧ）圧縮時は、動画（ＭＰＥＧ）圧縮で使うピクチャの蓄積、動き予測部１５は停止して消費電力の低減によりパワーセーブモード３４となり、Ｒｅｆｅｒｅｎｃｅ画像選択部は、固定値０出力３５として画像入力がそのままｄｃｔ変換部１へ入力される様にする。また、ＭＰＥＧ用ハフマン符号器１３も同様に停止して消費電力の低減によりパワーセーブモード３３となる。
【００６７】
なお、上述した本実施の形態に限らず、本発明の特許請求の範囲であれば、適宜適用することができることはいうまでもない。
【００６８】
【発明の効果】
この発明の画像圧縮装置は、動画像データの圧縮または静止画データの圧縮を選択的に行う画像圧縮装置において、入力された時間領域の画像信号を周波数領域に変換する第１の変換手段と、第１の変換手段により変換されたデータを量子化する第１の量子化手段と、第１の量子化手段により量子化されたデータを逆量子化する逆量子化手段と、変換手段により変換されたデータのうち低域データのみを通過させる低域通過手段と、入力された画像信号のうち輝度信号または色差信号のみを取り出す分離手段と、逆量子化手段により逆量子化されたデータと、低域通過手段により通過された低域データと、分離手段により分離された色差信号のうち１つを選択的に切り替える選択手段と、選択手段により選択された信号またはデータに対して、時間領域の色差信号を周波数領域に変換する第２の変換、または周波数領域の逆量子化されたデータおよび低域データを時間領域に逆変換する第２の変換／逆変換手段と、第１の量子化手段で画像信号が周波数領域に変換されたデータを量子化して静止画データの圧縮を行うと共に、第２の変換／逆変換手段により低域データが時間領域に逆変換された信号の画素成分から間引き量に対応した位置のデータを取り出して縮小画像を出力するサンプル手段と、変換／逆変換手段により色差信号が周波数領域に変換されたデータを量子化すると共に、第１の量子化手段で輝度信号が周波数領域に変換されたデータを量子化して静止画データの高速圧縮を行う第２の量子化手段とを備え、動画像データの圧縮、静止画データの圧縮および縮小画像、または静止画データの高速圧縮を行うので、静止画圧縮／伸張部、動画圧縮／伸張部の両者を搭載することなく動画圧縮回路の構成を用いて静止画記録時にもこれを無駄無く使用して兼用出来るだけではなく、動画像圧縮モードに対して、静止画圧縮および縮小画像取得モードまたは静止画高速圧縮モードの２モードの機能も付加することができるという効果を奏する。
【００６９】
また、この発明の画像圧縮装置は、上述において、選択手段および変換／逆変換手段に対して、動画像データの圧縮モード、静止画データの圧縮および縮小画像モード、または静止画データの高速圧縮モードに応じて切替信号を出力するモード切替手段を備えたので、各モードに応じて選択手段による信号の出力経路および変換／逆変換を切り替えることができるという効果を奏する。
【００７０】
また、この発明の画像圧縮装置は、上述において、静止画データの圧縮および縮小画像モード、または静止画データの高速圧縮モードの各モード時に、動画像データの圧縮モードのみに使用する不使用部分を省電力モードにするので、不使用部分の省電力化を図ることができるという効果を奏する。
【００７１】
また、この発明の画像圧縮方法は、動画像データの圧縮または静止画データの圧縮を選択的に行う画像圧縮方法において、動画データの圧縮モードでは、入力された時間領域の画像信号を周波数領域に変換する第１の変換ステップと、第１の変換ステップにより変換されたデータを量子化する第１の量子化ステップと、量子化ステップにより量子化されたデータを逆量子化する逆量子化ステップとにより、逆量子化されたデータを第１の変換ステップに戻すことにより動画データの圧縮を行い、静止画データの圧縮および縮小画像モードでは、入力された時間領域の画像信号を周波数領域に変換する第１の変換ステップと、第１の変換ステップにより変換されたデータを量子化する第１の量子化ステップとにより静止画データの圧縮を行うと共に、第１の変換ステップにより変換されたデータのうち低域データのみを通過させる低域通過ステップと、周波数領域の低域データを時間領域に逆変換する逆変換ステップと、逆変換ステップにより低域データが時間領域に逆変換された信号の画素成分から低域データの間引き量に対応した位置のデータを取り出して縮小画像を出力するサンプルステップとにより縮小画像の出力を行い、高速圧縮モードでは、入力された画像信号のうち輝度信号または色差信号のみを取り出す分離ステップと、時間領域の色差信号を周波数領域に変換する第２の変換ステップと、第２の変換ステップにより色差信号が周波数領域に変換されたデータを量子化すると共に、第１の量子化ステップで輝度信号が周波数領域に変換されたデータを量子化して静止画データの高速圧縮を行う第２の量子化ステップとを備え、動画像データの圧縮、静止画データの圧縮および縮小画像、または静止画データの高速圧縮を行うので、静止画圧縮および縮小画像取得モードによれば、静止画圧縮と並行して縮小画像の取得が出来、縮小画像は親指大のサムネイル等の原画に使用出来、静止画高速圧縮モードによれば、変換部を１基だけでなく、動画データの圧縮時に変換部として使用するものをパラメータの変更により２基目の変換部として使用することにより、上述した２つの経路を併行して使用することができるので、高速に静止画の圧縮を行うことができるという効果を奏する。
【００７２】
また、この発明の画像圧縮方法は、上述において、逆量子化ステップの出力、低域データ、色差信号に対して、動画像データの圧縮モード、静止画データの圧縮および縮小画像モード、または静止画データの高速圧縮モードに応じて出力の切替を行うと共に、逆量子化ステップの出力、低域データ、色差信号に対して、動画像データの圧縮モード、静止画データの圧縮および縮小画像モード、または静止画データの高速圧縮モードに応じて、周波数領域の逆量子化データ、周波数領域の低域データを時間領域に逆変換する逆変換ステップと、時間領域の色差信号を周波数領域に変換する第２の変換ステップとの切替を行うので、各モードに応じて信号の出力経路および第２の変換ステップ／逆変換ステップを切り替えることができるという効果を奏する。
【００７３】
また、この発明のデジタルスチルカメラは、撮像手段により撮像された動画像データの圧縮または静止画データの圧縮を選択的に行って圧縮された動画像データまたは静止画データの記録を行うデジタルスチルカメラにおいて、入力された時間領域の画像信号を周波数領域に変換する第１の変換手段と、第１の変換手段により変換されたデータを量子化する第１の量子化手段と、第１の量子化手段により量子化されたデータを逆量子化する逆量子化手段と、変換手段により変換されたデータのうち低域データのみを通過させる低域通過手段と、入力された画像信号のうち輝度信号または色差信号のみを取り出す分離手段と、逆量子化手段により逆量子化されたデータと、低域通過手段により通過された低域データと、分離手段により分離された色差信号のうち１つを選択的に切り替える選択手段と、選択手段により選択された信号またはデータに対して、時間領域の色差信号を周波数領域に変換する第２の変換、または周波数領域の逆量子化されたデータおよび低域データを時間領域に逆変換する第２の変換／逆変換手段と、第１の量子化手段で画像信号が周波数領域に変換されたデータを量子化して静止画データの圧縮を行うと共に、上記第２の変換／逆変換手段により上記低域データが時間領域に逆変換された信号の画素成分から間引き量に対応した位置のデータを取り出して縮小画像を出力するサンプル手段と、変換／逆変換手段により上記色差信号が周波数領域に変換されたデータを量子化すると共に、第１の量子化手段で輝度信号が周波数領域に変換されたデータを量子化して静止画データの高速圧縮を行う第２の量子化手段とを備え、動画像データの圧縮、静止画データの圧縮および縮小画像、または静止画データの高速圧縮を行うので、静止画圧縮／伸張部、動画圧縮／伸張部の両者を搭載することなく動画圧縮回路の構成を用いて静止画記録時にもこれを無駄無く使用して兼用出来るだけではなく、動画像圧縮モードに対して、静止画圧縮および縮小画像取得モードまたは静止画高速圧縮モードの２モードの機能も付加したデジタルスチルカメラを得ることができるという効果を奏する。
【図面の簡単な説明】
【図１】本実施の形態に適用される動画圧縮回路での静止画（ＪＰＥＧ）圧縮の様子を示す図である。
【図２】モード切替部によるセレクタとｉｄｃｔ／ｄｃｔの切替を示す図である。
【図３】動画圧縮回路での静止画（ＪＰＥＧ）圧縮＋ｎ／８画像取得モードを示す図である。
【図４】動画圧縮回路での静止画（ＪＰＥＧ）高速圧縮モードを示す図である。
【図５】ＬＰＦのＤＣＴ係数の低域データ（ｎ×ｎ）のサンプリング及び高域データの０値設定を示す図である。
【図６】サンプラの８×８画素成分から間引き量ｎ／８に対応した位置のデータの取り出しを示す図である。
【図７】従来のデジタルカメラシステムの構成を示すブロック図である。
【図８】従来のＭＰＥＧの動画圧縮回路の構成を示すブロック図である。
【符号の説明】
１……ｄｃｔ変換部、２……量子化器、３……ＬＰＦ、４……セレクタ、５……ｉｄｃｔ／ｄｃｔ変換部、６……乗算器、７……サンプラ、８……量子化器、９……ＪＰＥＧ用ハフマン符号器、１０……モード切替部、１１……減算器、１２……逆量子化器、１３……ＭＰＥＧ用ハフマン符号器、１４……加算器、１５……動き予測部、１６……ＪＰＥＧ圧縮符号出力、１７……ｎ／８縮小画像データ、１８……ヘッダー付加ＭＰＥＧストリーム、２１……モード切替部、２２……セレクタ、２３……ｉｄｃｔ／ｄｃｔ変換部、２４……ＭＰＥＧモード、２５……静止画（ＪＰＥＧ）圧縮＋ｎ／８画像取得モード、２６……静止画（ＪＰＥＧ）高速圧縮モード、３１……ＪＰＥＧ圧縮経路、３２……ｎ／８画像経路、４１……輝度信号（Ｙ）ＪＰＥＧ圧縮経路、４２……色差信号（Ｃｂ，Ｃｒ）ＪＰＥＧ圧縮経路、５２……高域データ（０値）、５３……低域データ、６１……８×８画素、６３……ｎ／８縮小画像データ
【図１】
2004165744.tif 000003
【図２】
2004165744.tif 000004
【図３】
2004165744.tif 000005
【図４】
2004165744.tif 000006
【図５】
2004165744.tif 000007
【図６】
2004165744.tif 000008
【図７】
2004165744.tif 000009
【図８】
2004165744.tif 000010